(57)【特許請求の範囲】
【請求項１】
前身頃部，股下部および後身頃部を有するバックシートと、このバックシートの前記前身頃部から前記股下部に亙って配置され、主として尿を吸収保持するための第１吸収体と、
前記バックシートに重ね合わされ、前記バックシートの前記股下部から前記後身頃部に亙って延在する便分離シートと、
この便分離シートと前記バックシートとの間に配置され、主として便を保持するための第２吸収体と
を少なくとも具えた吸収性物品であって、
前記便分離シートと前記バックシートとの間から前記第２吸収体を取り出すための取り出し手段と、
前記バックシートの前記股下部に設けられて前記第１吸収体と前記第２吸収体とを仕切る仕切り部と
をさらに具えたことを特徴とする吸収性物品。
【請求項２】
前記バックシートから前記第１吸収体を着脱するための着脱手段をさらに具えたことを特徴とする請求項１に記載の吸収性物品。
【請求項３】
前記着脱手段は、前記バックシートに形成された着脱口を有することを特徴とする請求項２に記載の吸収性物品。
【請求項４】
前記バックシートの前記前身頃部から前記股下部に亙って配置され、前記第１吸収体の上から前記バックシートに重ね合わされる液透過性のトップシートをさらに具えたことを特徴とする請求項１から請求項３の何れかに記載の吸収性物品。
【請求項５】
前記バックシートと前記トップシートとの間から前記第１吸収体を着脱するための着脱手段をさらに具え、この着脱手段は、前記トップシートに形成された着脱口を有することを特徴とする請求項４に記載の吸収性物品。
【請求項６】
前記バックシートに接する前記第１吸収体の面が液不透過性であることを特徴とする請求項１から請求項５の何れかに記載の吸収性物品。
【請求項７】
前記第１吸収体は、吸水性高分子材料と、ミクロフィブリルセルロースと、これら吸水性高分子材料およびミクロフィブリルセルロースを保持する不織布基材とを有することを特徴とする請求項１から請求項６の何れかに記載の吸収性物品。
【請求項８】
前記第１吸収体は、５０重量％以上の吸水性高分子材料を有することを特徴とする請求項１から請求項７の何れかに記載の吸収性物品。
【請求項９】
前記バックシートが液不透過性であることを特徴とする請求項１から請求項８の何れかに記載の吸収性物品。
【請求項１０】
前記便分離シートと前記第２吸収体との間に空隙が形成されていることを特徴とする請求項１から請求項９の何れかに記載の吸収性物品。
【請求項１１】
前記取り出し手段は、前記バックシートまたは前記便分離シートに形成された取り出し口を有することを特徴とする請求項１から請求項１０の何れかに記載の吸収性物品。
【請求項１２】
前記取り出し手段は、前記取り出し口を開閉するための開閉手段をさらに有することを特徴とする請求項１１に記載の吸収性物品。
【請求項１３】
前記取り出し手段は、前記第２吸収体に設けられてこれを引っ張るための把持部をさらに有することを特徴とする請求項１から請求項１２の何れかに記載の吸収性物品。
【請求項１４】
前記便分離シートは、前記バックシートの股下部側に位置する端部が前記仕切り部材に接合されていることを特徴とする請求項１から請求項１３の何れかに記載の吸収性物品。
【請求項１５】
前記第２吸収体は、１０重量％以下の吸水性高分子材料を含むか、またはこれを含まないことを特徴とする請求項１から請求項１４の何れかに記載の吸収性物品。
【請求項１６】
前記第２吸収体は、水解性を有することを特徴とする請求項１から請求項１５の何れかに記載の吸収性物品。
【発明の詳細な説明】
【０００１】
【発明の属する技術分野】
本発明は、着用者の臀部に便が直接付着しないように配慮して臀部のスキントラブルの減少を企図した吸収性物品に関し、特にこの吸収性物品から便のみを取り出して容易に廃棄できるようにしたものである。  なお、本発明における「吸収性物品」とは、乳幼児または介護用のおむつや、成人用失禁用品などを表す。
【０００２】
【従来の技術】
おむつかぶれの原因および発症機構に関し、皮膚臨床３０の第９４９ページ〜第９５６ページ（１９９８年）に記載された山本一哉氏の「いわゆるおむつかぶれ」によると、▲１▼尿と便とが混ざるとアンモニアが発生し、▲２▼このアンモニアが環境をアルカリ性にし、▲３▼便中の酵素がアルカリ性雰囲気で強く活性化し、▲４▼この酵素およびアンモニアによって皮膚の弱った部分が炎症を起こし、おむつかぶれが発生することを述べている。皮膚の弱った部分が作り出される原因として、皮膚と接触するおむつ構成材料の肌触りなどの機械的刺激や、おむつ内の湿度が高いために皮膚がふやけた状態となるようなおむつ内側の環境なども指摘されている。
【０００３】
上述したようなおむつかぶれの原因に対し、吸水性高分子材料の技術進歩に伴う性能向上によって、例えば排尿後にこれを速やかに吸収してその浸透拡散を少なくすることで、排便があった場合でもこれと混ざりにくくすることが可能となっている。また、おむつ内側の環境に関しては、例えば通気性シートをおむつに使用することによって、おむつ内の蒸れ対策が可能となり、皮膚をふやけさせない効果をあげている。おむつかぶれに対する対策がこのように進んできたため、いわゆる使い捨ておむつなどの使用によって発生していたかぶれなどのスキントラブルも減少している。
【０００４】
しかしながら、尿と便とがほぼ同時に排泄された場合や、軟便に対するかぶれ防止については、まだ対策が十分ではなかった。軟便の場合、尿と混ざらなくてもこれを放置すれば、皮膚への負担が大きくなる。軟便は、皮膚に当接するおむつのトップシートをほとんど通過しないので、水分の一部が吸収体に移行する以外、トップシートに残って着用者の臀部に付着することとなる。このため、皮膚にトラブルが発生しないとしても、おむつ替えの際に臀部に対する払拭作業が煩雑になる。
【０００５】
このように、便と尿とが混ざり合ったり、便が臀部に付着するのを防止するため、例えばおむつのトップシートまたはスキンコンタクトシートに便を落とし込むための開口部を設け、尿と便とを分離できるようにした構造のおむつが提案されている。しかしながら、トップシートやスキンコンタクトシート自体は、おむつの着用状態においてその形状を維持する機能を有していないため、この開口部を解放状態に維持することが困難である。
【０００６】
このような観点から、特開昭６１−４１３０４号公報，実用新案登録第２５５９０５０号公報，特表平１０−５１３０７２号，実開平６−５６１４号公報，実開平６−１１７２３号公報などにおいて尿と便とを分離できるおむつが提案されている。
【０００７】
特開昭６１−４１３０４号公報に開示されたおむつは、トップシートの中央に長さ方向に長い開口部を設け、その開口部の周縁部に沿って弾性部材を取り付けることにより、トップシートにいわゆるコシを持たせて開口部が塞がれないように配慮したものである。実用新案登録第２５５９０５０号公報に開示された使い捨ておむつは、透液性内面シートと不透液性外面シートとの間に吸液性パネルを介在させ、さらに透液性内面シートの上面に着用者の泌尿器および肛門に対向する開孔を設けた第２の透液性内面シートを重ね合わせ、これら２つの内面シートの間に隙間を形成したものである。また、特表平１０−５１３０７２号に開示された使い捨て吸収物品は、着用者の肛門および／または尿道開口と対向する穴と、この穴に連通して糞便および／または尿を受けるための吸収性材料が配されたポケットとを形成したものである。実開平６−５６１４号公報に開示されたおむつは、表面シートに設けた開口部の下に延在する凹部と、この開口部の周囲から中央部に表面シートを延在させてなる弁部とを設け、開口部によって分離される便が逆戻りしないように配慮したものである。さらに、実開平６−１１７２３号公報に開示されたおむつは、第１の表面シートに第２の表面シートを重ね、この第２の表面シートの長さ方向中央領域に形成した開口部を横方向に拡開させるための複数の弾性部材を配置したものである。
【０００８】
【発明が解決しようとする課題】
特開昭６１−４１３０４号公報および実開平６−５６１４号公報に開示されたおむつの場合、これを実際に着用した様子を観察すると、おむつの股下部が着用者の両脚の太股によってその中央側に寄せられ、肌に密着せずに下方に垂れ下がったような状態となることが判明した。すなわち、これらのおむつはトップシートまたは表面シート（以下、これらをトップシートと総称する）の股下部が着用者の股下に密着していないので、トップシートに設けられた開口部が意味をなさず、便がトップシートの上に広がってしまう不具合が生ずる。仮に、トップシートの開口部の位置と着用者の肛門の位置とが合致していたとしても、トップシートが着用者の股下に密着していないので、開口部が塞がった状態となり、開口部を介して便をトップシートとバックシートとの間に導くことができないことが予想される。
【０００９】
実開平６−１１７２３号公報に開示されたおむつも同様な不具合を有し、開口部が幅方向にのみ拡開されているだけであり、着用状態によっては開口部がつぶされてしまい、開口部の機能を充分に発揮させることが基本的にできない。
【００１０】
また、実用新案登録第２５５９０５０号公報に開示された使い捨ておむつの場合、尿および便が臀部に付着することが少なくなるものの、尿と便とが混ざり合うのを防ぐことができず、これにより臀部の汚染をなくすことができない。
【００１１】
さらに、特表平１０−５１３０７２号に開示された使い捨て吸収物品にて糞便を処理する場合、この使い捨て吸収物品全体も廃棄する必要があり、尿が排泄されていないような場合には尿の吸収機能を有効に利用することなく、廃棄することとなる。かかる不具合は、上述した従来のおむつすべてに該当する。
【００１２】
【発明の目的】
本発明の目的は、便によるおむつかぶれなどのスキントラブルを減らしつつ、手を汚すことなく便のみを取り出して容易に廃棄し得る吸収性物品を提供することにある。
【００１３】
【課題を解決するための手段】
本発明は、前身頃部，股下部および後身頃部を有するバックシートと、
このバックシートの前記前身頃部から前記股下部に亙って配置され、主として尿を吸収保持するための第１吸収体と、
前記バックシートに重ね合わされ、前記バックシートの前記股下部から前記後身頃部に亙って延在する便分離シートと、
この便分離シートと前記バックシートとの間に配置され、主として便を保持するための第２吸収体と
を少なくとも具えた吸収性物品であって、
前記便分離シートと前記バックシートとの間から前記第２吸収体を取り出すための取り出し手段と、
前記バックシートの前記股下部に設けられて前記第１吸収体と前記第２吸収体とを仕切る仕切り部と
をさらに具えたことを特徴とするものである。
【００１４】
本発明の吸収性物品によると、尿は第１吸収体に吸収保持され、便は便分離シートを通過して第２吸収体に保持される。第１吸収体と第２吸収体とは仕切り部材によって仕切られているため、尿と便との混ざり合いが防止される。第２吸収体に保持された便は、必要に応じて取り出し手段により第２吸収体と共に外部に取り出される。
【００１５】
本発明の吸収性物品において、バックシートから第１吸収体を着脱するための着脱手段をさらに設けることが可能である。この場合、着脱手段は、バックシートに形成された着脱口を有するものであってよい。
【００１６】
第１吸収体の上からバックシートに重ね合わされる液透過性のトップシートをバックシートの前身頃部から股下部に亙って配置することも可能である。この場合、バックシートとトップシートとの間から第１吸収体を着脱するための着脱手段をさらに設け、この着脱手段がトップシートに形成された着脱口を有するものであってよい。
【００１７】
バックシートに接する第１吸収体の面が液不透過性であってよい。
【００１８】
第１吸収体は、吸水性高分子材料と、ミクロフィブリルセルロースと、これら吸水性高分子材料およびミクロフィブリルセルロースを保持する不織布基材とを有するものであってよい。本発明におけるミクロフィブリルセルロースとは、木材パルプを高シェア化で開繊して得られる平均繊維長が０.１mm以下の極微細繊維のことを称する。
【００１９】
第１吸収体は、５０重量％以上の吸水性高分子材料を有するものであってよい。
【００２０】
バックシートが液不透過性であってよい。
【００２１】
便分離シートと第２吸収体との間に空隙を形成することが好ましい。
【００２２】
取り出し手段がバックシートまたは便分離シートに形成された取り出し口を有するものであってよい。この場合、取り出し手段は、取り出し口を開閉するための開閉手段をさらに有するものであってよい。
【００２３】
取り出し手段は、第２吸収体に設けられてこれを引っ張るための把持部をさらに有するものであってよい。
【００２４】
便分離シートは、バックシートの股下部側に位置する端部が仕切り部材に接合されていてもよい。
【００２５】
第２吸収体が１０重量％以下の吸水性高分子材料を含むか、またはこれを含まないものであってよい。
【００２６】
第２吸収体が水解性を有するものであってよい。
【００２７】
【発明の実施の形態】
本発明におけるバックシートとしては、液不透過性のポリエチレンシートを用いることが好ましく、より好ましくは微孔を設けたポリエチレンシートや熱可塑性樹脂にフィラーを加えて延伸したシートのように透湿性を持たせたものを用いることにより、蒸れを少なくして快適にすることができる。さらに、このシートの外側に手触りを良好にして合成樹脂シート独特の擦れ音を緩和するため、不織布を貼り付けてバックシートを構成するようにしてもよい。この不織布としては、ポリエチレン，ポリプロピレン，ポリエステルなどの熱可塑性樹脂を原料とする合成繊維を採用することができ、液不透過性および液透過性の何れでもよい。
【００２８】
本発明における液透過性のトップシートとしては、ポリエチレン，ポリプロピレン，ポリエステル，その他の熱可塑性樹脂を原料とした合成繊維などからなる不織布や穴あき不織布またはメッシュシートなどが用いられる。
【００２９】
本発明における便分離シートは、便がこの便分離シートを通過するような開口構造を有するものであり、その開口率は１０〜９０％の範囲で任意に設定することが可能である。開口率が１０％未満の場合には便を通過させることが困難となり、逆に９０％を超えると便が逆に通過して臀部を汚し易くなってしまう。この便分離シートの開口の形態としては、例えば切欠やメッシュまたは網目などを採用することができる。より具体的には、ポリエチレン，ポリプロピレン，ポリエステル，その他の熱可塑性樹脂を原料とした合成繊維などからなる不織布に切欠を形成したものや、この不織布に熱針や吸引処理によって穴を形成したもの採用することができる。この他に網目状シート，メッシュシート，穴あきフィルム，発泡樹脂を原料する穴あきシートまたは網目状シートを用いてもよい。発泡樹脂を用いた便分離シートとしては、ポリエチレン，ポリプロピレン，ポリスチレンに発泡剤を加えてシート状に押出し成型した発泡樹脂シートに熱針や吸引処理によって複数の開口部を形成したものや、この発泡樹脂シートを網目状に押し出し成型したネットを用いることができる。
【００３０】
上述した網目状シートは、果実の輸送用緩衝材として良く知られており、例えば無架橋法による発泡ポリエチレンからなるミラネット（商品名：株式会社ＪＳＰ製）などが市販され、臀部を包むような変形が容易な特徴を有するので本発明における便分離シートの構成材料として好適である。
【００３１】
また、市販されている発泡樹脂シートとしては、ポリエチレンを原料とした発泡ポリエチレンシート、例えばミラマット（商品名：株式会社ＪＳＰ製），ハイエチレンＳ（商品名：日立化成工業株式会社製），ソフトロン（商品名：積水化学工業株式会社製）や、ポリプロピレンを原料とした発泡ポリプロピレンシート、例えばハイエチレンＰＰ（商品名：日立化成工業株式会社製），ピーマット（商品名：株式会社ＪＳＰ製）、またはポリスチレンを原料とした発泡ポリスチレンシート、例えばポススチレンペーパー（商品名：株式会社ＪＳＰ製），ミラボード（商品名：株式会社ＪＳＰ製）などが上げられる。これらの中でも、柔軟であることと架橋されていないという特徴から、ミラマットが本発明における便分離シートの構成材料として好適である。
【００３２】
便分離シートと第２吸収体との間に空隙を形成するため、便分離シート自体に伸縮弾性を持たせたり、便分離シートが接合されるバックシートの接合部分に伸縮弾性を持たせるなどの方法がある。便分離シートに伸縮弾性を持たせる場合には、便分離シートをその長手方向に沿って伸長状態でその両端部をバックシート側に接合することにより、この便分離シートの収縮力を利用してこれを着用者の肌に密着させる。この場合、便分離シートの側端縁部もバックシートに接合することにより、袋状の空隙がバックシートと便分離シートとの間に形成される。また、便分離シートが接合されるバックシートの接合部分に伸縮弾性を持たせる場合には、伸縮弾性シートを介して便分離シートとバックシートとを接合し、この伸縮弾性シートを伸長させることによって便分離シートを着用者の肌に密着させ、バックシートに保持された第２吸収体との間に空隙を形成する。
【００３３】
本発明における第１吸収体は、木材パルプや非木材パルプを綿状にしたフラッフパルプを主材としたものに吸水性高分子材料（ＳＡＰ）を併用したものが好ましく、その他に吸収紙単独または熱融着繊維などの混合物や積層物が用いられる。また、ＳＡＰの飛び出し防止のために全体をティシュで包み込んだ積層構造としてもよい。具体的には、ＳＡＰおよびミクロフィブリルセルロースをプロピレングリコールまたはメタノールと水との混合溶液に分散した塗工液をトップシートに直接塗工するか、ポリエチレン，ポリプロピレン，ポリエステル，その他の熱可塑性樹脂を原料とした合成繊維からなる不織布に塗工したＳＡＰを主成分とするシート状をなす。
【００３４】
第１吸収体として、バックシートと接する面に液不透過性のシートを積層した構成のものを用いると、バックシートとして液透過性の材料を用いることが可能となり、通気性が良好となって蒸れを防止することができる。
【００３５】
さらに、バックシートの第１吸収体との当接面に粘着テープや面ファスナなどを取り付け、バックシートに対して第１吸収体を着脱可能に固定できる構成にすることも可能である。
【００３６】
本発明における第２吸収体としては、表面層にレーヨン，パルプ，ＣＭＣ−Ｃaなどを用いた水解紙シートを用い、吸収コアにフラッフパルプ，カーリーファイバなどを用い、裏面層にティシュにＰＶＡをラミネートした難透水性シートなどを用いたものを採用することができる。この場合、吸収コアとして木材パルプや非木材パルプを綿状にしたフラッフパルプを主材としたものにＳＡＰを併用したものが好ましい。ＳＡＰを１０重量％以下にすることによって、第２吸収体自体に水解性を持たせることができる。
【００３７】
本発明における第２吸収体に設けられる把持部としては、紙，ＰＶＡフィルム，これらの複合物など、通常に使われる水解性の素材を用いることができ、引っ張り出しやすく、手を汚さないようにひもやテープの形態であることが好ましい。
【００３８】
本発明の仕切り部材は、股下部にてその長手方向一端部がバックシートに接合され、他端部がトップシートまたは便分離シートに接合される。尿と便との分離をさらに確実にするため、この仕切り部材を２つ配置し、これらの長手方向一端部を股下部にてバックシートに接合し、一方の他端部をトップシートに接合すると共に他方の他端部を便分離シートに接合するようにしてもよい。この仕切り部材としては、ポリエチレン，ポリプロピレン，ポリエステルなどの熱可塑性樹脂を原料としたフィルムや不織布などが用いられる。不織布を用いる場合、例えばスパンボンド（Ｓ）およびメルトブロー（Ｍ）を複合したＳＭＳ構造やＳＭＭＳ構造のものが好適である。
【００３９】
本発明において、バックシートまたは便分離シートに第２吸収体を取り出すための取り出し口を形成することが有効である。この取り出し口の位置は、股下部から後身頃部までの間で任意に選択可能であり、ここから第２吸収体を取り出すことが可能であれば、形態を選ばない。例えば、バックシートまたは便分離シートにミシン目を入れておき、第２吸収体を取り出す際にこのミシン目を破って取り出し口を形成するようにしてもよい。あるいは、あらかじめ開閉可能な切欠を取り出し口として形成しておき、ここに粘着テープ，ジッパー，面ファスナなどを装着し、不必要な時に取り出し口が開かないように配慮することも有効である。取り出し口を設けない場合、便分離シートをバックシートから剥離可能とする構成を採用することにより、バックシートの第２吸収体を取り出すことができる。
【００４０】
さらに、本発明の吸収性物品において、バックシートまたはトップシートに第１吸収体を取り出すための取り出し口を形成することができる。この取り出し口の位置および形態は、上記のごとく第２吸収体を取り出すためにバックシートまたは便分離シートに形成した取り出し口の場合と同様にすればよい。
【００４１】
また、本発明の吸収性物品において、第１および第２吸収体以外の部分の材料としてすべて布製の材料を用い、これを縫製して吸収性物品の本体部分を形成した場合には、吸収体のみを廃棄し、汚れた本体部分は洗濯して再使用することが可能となる。
【００４２】
【実施例】
本発明による吸収性物品をパンツ型おむつに応用した実施例について、図１〜図１１を参照しながら詳細に説明するが、本発明はこのような実施例に限らず、これらをさらに組み合わせたり、この明細書の特許請求の範囲に記載された本発明の概念に包含されるべき他の技術にも応用することができる。
【００４３】
本実施例によるおむつの外観を図１に示し、その展開形状を図２に示し、おむつの前身頃部から後身頃部に至る中央断面形状を図３に示す。すなわち、本実施例におけるおむつ１０は全体としてパンツ型をなし、いわゆるおむつカバーを構成する液不透過性のバックシート１１と、このバックシート１１の股下部１１Ｂを横切るように基端部がバックシート１１に接合される本発明の仕切り部材としてのセパレータ１２と、前身頃部１１Ｆ側でバックシート１１の幅方向中央部に重ね合わされる液透過性のセンタートップシート１３Ｃと、一定幅を有するこのセンタートップシート１３Ｃの幅方向両側縁部に内側縁部が重なるように、バックシート１１の幅方向両側縁側に重ね合わされる左右一対のサイドトップシート１３Ｓと、これらバックシート１１とセンターおよび左右一対のサイドトップシート１３Ｃ，１３Ｓ（以下、これらを一括してトップシート１３と略記する）との間に配置されてバックシート１１の前身頃部１１Ｆから股下部１１Ｂに亙って延在するシート状をなす第１吸収体１４と、後身頃部１１Ｒ側でバックシート１１の幅方向中央部に重ね合わされる液不透過性の伸縮可能な便分離シート１５と、一定幅を有するこの便分離シート１５の幅方向両側縁部に内側縁部が重なるように、バックシート１１の幅方向両側縁側に重ね合わされる左右一対の補助シート１６と、これらバックシート１１と便分離シート１５および左右一対の補助シート１６との間に配置されてバックシート１１の股下部１１Ｂから後身頃部１１Ｒに亙って延在するシート状をなす第２吸収体１７と、おむつ１０のウエスト周り開口部１８に沿って伸長状態でバックシート１１の折り返し部１１Ｔ（ウエスト周り開口部１８）に保持される伸縮可能な複数本のウエスト周り弾性部材１９と、おむつ１０の脚周り開口部２０に沿って伸長状態でバックシート１１とトップシート１３および補助シート１６との間に保持される伸縮可能な複数本の脚周り弾性部材２１とを具えている。
【００４４】
ウエスト周り開口部１８側のトップシート１３の端部はバックシート１１に対して一体的に接合され、股下部１１Ｂ側の端部はセパレータ１２の基端部側に接合されている。
【００４５】
便を通過させるための開口部２２が股下部１１Ｂ側に形成された本実施例における便分離シート１５は、伸縮弾性ネット１５Ｅを伸長状態のまま不織布１５Ｎで挟んだ構造を有し、その股下部１１Ｂ側の端部がセパレータ１２の先端部側に接合され、ウエスト周り開口部１８側の端部がバックシート１１の折り返し部１１Ｔに挟持された状態で接合されている。この場合、便分離シート１５の長手方向寸法は、収縮した状態においてバックシート１１の後身頃部１１Ｒの展張寸法よりも短く設定してあるため、バックシート１１に対して吊り下げられた状態となり、第２吸収体１７との間に空隙２３が形成される。従って、おむつ１０の着用時には便分離シート１５が伸長状態となって着用者の臀部に当接し、たるみが生ずるバックシート１１の後身頃部１１Ｒ側との間に空隙２３が形成され、開口部２２を通過した便が第２吸収体１７の上に保持され、臀部との直接的な接触が生じないようになっている。
【００４６】
同様に、股下部１１Ｂ側の補助シート１６の端部は、セパレータ１２の先端部側に接合され、そのウエスト周り開口部１８側の端部はバックシート１１の折り返し部１１Ｔに挟持された状態で接合されている。
【００４７】
バックシート１１の後身頃部１１Ｒには、ウエスト周り開口部１８に沿ってミシン目２４が形成され、このミシン目２４を破って図４に示すように取り出し口２５を形成することにより、ここから第２吸収体１７を取り出すことができるようになっている。本実施例においては、上述したミシン目２４が本発明の取り出し手段の一部として機能する。
【００４８】
本実施例における第２吸収体１７の概略構造を図５に示す。すなわち、本実施例における第２吸収体１７は、レーヨンとパルプとを用いた水解性の表面層１７Ｔと、ティシュにＰＶＡをラミネートした難透水性の裏面層１７Ｂとの間に、カーリーファイバを用いた吸収コア１７Ｃを保持したものであり、一端側が第２吸収体１７の長手方向一端部から引き出される紐２６の他端側は、この第２吸収体１７の長手方向に沿って裏面層１７Ｂに接合されている。この紐２６の一端部を掴んで引っ張ることにより、手を汚すことなく第２吸収体１７をミシン目２４の部分から取り出すことが可能であり、本発明の取り出し手段の一部としても機能する。この紐２６に代えて、テープやリボンなどを採用することも可能である。
【００４９】
上述した実施例では、トップシート１３をセンタートップシート１３Ｃと左右一対のサイドトップシート１３Ｓとに分けているが、これらを単一のシートで構成することも当然可能である。また、取り出し口２５をバックシート１１側に形成したが、図６に示すようにこの取り出し口２５を便分離シート１５側に形成してもよい。便分離シート１５側に取り出し口２５を形成する場合においても、これをミシン目にしておき、必要な時にミシン目を破って取り出し口２５とすることが可能である。
【００５０】
上述した取り出し口２５を開閉できるようにしておけば、新たな第２吸収体１７を装着する場合に、取り出し口２５を塞いで置くことも可能となる。このような本発明による吸収性物品の他の実施例をバックシートの後身頃部側から見た外観を図７に示し、その前身頃部から後身頃部に至る中央断面形状を図８に示すが、先の実施例と同一機能の部材にはこれと同一符号を記すに止め、重複する説明は省略するものとする。すなわち、バックシート１１の後身頃部１１Ｒをウエスト周り開口部１８に沿って切り欠くことにより形成された取り出し口２５の近傍のバックシート１１には、この取り出し口２５を跨ぐように配される粘着性の開閉テープ２７の基端部が接合されており、この開閉テープ２７の先端側は、繰り返し剥離可能にバックシート１１に接合されて取り出し口２５を開閉し得るようになっている。また、取り出し口２５には第２吸収体１７と一体の紐２６の一端部が引き出されており、これも開閉テープ２７によってバックシート１１に係止され、第２吸収体１７を取り出し口２５から取り出す際に、指をバックシート１１の中に入れずとも第２吸収体１７を外側に引き出すことが可能である。
【００５１】
上述した実施例では、便分離シート１５と第２吸収体１７との間に空隙２３を形成するようにしたが、便分離シート１５として発泡樹脂を使用した場合には、その厚みを利用して先の実施例と同じような効果を得ることも可能である。このような本発明による吸収性物品の別な実施例における展開形状を図９に示すが、先の実施例と同一機能の部材にはこれと同一符号を記すに止め、重複する説明は省略するものとする。すなわち、本実施例における便分離シート１５は、発泡樹脂の線材を網目状に成形したものであり、便が通過する多数の開口部２２を有している。ウエスト周り開口部１８側の便分離シート１５の端部は、接続用テープ２８を介してバックシート１１の折り返し部１１Ｔに接合されている。便分離シート１５は、これを構成する発泡樹脂の線材の太さにより、着用者の臀部と第２吸収体１７との間に開口部２２を含む空隙を形成し、ここに便が保持されるようになっている。
【００５２】
上述した実施例では、第１吸収体１４をバックシート１１およびトップシート１３に対して一体化した構造を採用しているが、これを必要に応じて着脱できるようにすることも可能である。
【００５３】
このような本発明による吸収性物品の他の実施例における前身頃から後身頃に至る中央断面形状を図１０に示すが、先の実施例と同一機能の部材にはこれと同一符号を記すに止め、重複する説明は省略するものとする。すなわち、本実施例における第１吸収体１４は、表面層１４Ｔと、裏面層１４Ｂと、表面層１４Ｔと裏面層１４Ｂの間に配置された吸収コア１４Ｃとで構成されている。裏面層１４Ｂはバックシート１１に対して粘着性を有しており、この粘着力によって第１吸収体１４がバックシート１１に保持される。逆に、この粘着力に抗して図１１に示すように、第１吸収体１４をバックシート１１から引き剥がすことにより、第１吸収体１４をバックシート１１から取り外すことができる。つまり、上述した裏面層１４Ｂが本発明による第１吸収体１４の着脱手段を構成しており、必要に応じて新たな第１吸収体１４と交換することが可能である。
【００５４】
本実施例では、第１吸収体１４の着脱のために先の実施例の如き液透過性のトップシート１３を設けていないが、第１吸収体１４の表面層１４Ｔをこれと同じ素材で形成することが可能である。また、バックシート１１に第１吸収体１１の着脱口を設けた場合には、先の実施例のようなトップシート１３をバックシート１１の前身頃部１１Ｆから股下部１１Ｂに亙って設けることも可能である。バックシート１１を液不透過性の材料で形成した場合、裏面層１４Ｂを液不透過性の材料で形成する必用はなく、任意の素材を使用可能である。しかしながら、裏面層１４Ｂを液不透過性の材料で形成した場合には、バックシート１１を液透過性の材料で形成することができるため、蒸れを軽減することができる点で好ましいと言える。
【００５５】
【発明の効果】
本発明の吸収性物品によると、便分離シートとバックシートとの間に主として便を保持するための第２吸収体を介装し、この第２吸収体をバックシートと便分離シートとの間から外部に取り出す取り出し手段を設け、さらに第２吸収体と第１吸収体とを仕切る仕切り部材をバックシートに接合したので、排便後に便のみを第２吸収体と共に容易に廃棄することが可能となる。しかも、第１吸収体と第２吸収体とが仕切り部材によって仕切られているため、尿と便との混ざり合いを防止することができ、結果としてアンモニアの発生を抑制してスキントラブルを軽減することが可能となる。
【００５６】
第１吸収体を着脱するための着脱手段を設けた場合には、第１吸収体の交換が可能となり、吸収性物品を反復利用することができる。
【００５７】
第１吸収体を着脱するための着脱口をバックシートまたはトップシートに形成した場合には、第１吸収体の交換を容易に行うことができる。
【００５８】
バックシートと接する第１吸収体の面を液不透過性にした場合には、バックシートとして液透過性の材料を用いることが可能となり、通気性が良好となって蒸れを防止することができる。
【００５９】
第１吸収体が吸水性高分子材料と、ミクロフィブリルセルロースと、これら吸水性高分子材料およびミクロフィブリルセルロースを保持する不織布基材とを有する場合には、第一吸収体を極めて薄くすることが可能であり、着用性を良好にすることができる。
【００６０】
第１吸収体が５０重量％以上の吸水性高分子材料を有する場合には、多量の尿を第１吸収体に保持させることができる。
【００６１】
便分離シートと第２吸収体との間に空隙を形成した場合には、第２吸収体に保持される便と着用者の臀部とを隔離し、臀部を清浄に保つことができる。
【００６２】
第２吸収体を取り出すための取り出し口をバックシートまたは便分離シートに形成した場合には、第２吸収体の取り出しを容易に行うことができる。
【００６３】
取り出し口を開閉するための開閉手段を設けた場合には、第２吸収体の非交換時には取り出し口を塞いでおくことができ、臭気などが外部に漏洩するのを防止することができる。
【００６４】
バックシートと便分離シートとの間から第２吸収体を取り出すための把持部を第２吸収体に設けた場合には、第２吸収体に便が付着した状態でも把持部をつかむことによって手を汚すことなく第２吸収体を便と共に取り出し、廃棄することができる。
【００６５】
バックシートの股下部側に位置する便分離シートの一端部を仕切り部材に接合した場合には、着用中に第２吸収体が前身頃部側へずれるのを確実に防止することができる。
【００６６】
第２吸収体が１０重量％以下の吸水性高分子材料を含む場合には、軟便であっても吸水性高分子材料によって水分の吸収保持がなされることにより、その流動を抑制して第２吸収体の上に便を確実に保持することができる。
【００６７】
第２吸収体が水解性を有する場合には、便と共に第２吸収体を水に流して廃棄することが可能となり、例えば水洗式の便所を利用して第２吸収体を容易に廃棄することができ、臭気などのトラブルを最小限に抑えることができる。
【図面の簡単な説明】
【図１】本発明による吸収性物品をおむつに応用した一実施例の外観を表す斜視図である。
【図２】図１に示したおむつを展開状態でその内側から見た正面図である。
【図３】図１に示したおむつの前後方向中央部に沿った縦断面図である。
【図４】図３に示した実施例における第２吸収体の取り出し状態を表す断面図である。
【図５】図３に示した第２吸収体の抽出拡大断面図である。
【図６】図３に示した実施例における第２吸収体の他の取り出し状態を表す断面図である。
【図７】本発明による吸収性物品をおむつに応用した他の実施例における後身頃部側の外観を表す斜視図である。
【図８】図７に示したおむつの前後方向中央部に沿った縦断面図である。
【図９】本発明による吸収性物品をおむつに応用した別な実施例を展開状態でその内側から見た正面図である。
【図１０】本発明による吸収性物品をおむつに応用したさらに他の実施例における前後方向中央部に沿った縦断面図である。
【図１１】図１０に示した実施例において、第１吸収体をバックシートから取り外した状態を表す縦断面図である。
【符号の説明】
１０  おむつ
１１  バックシート
１１Ｂ  股下部
１１Ｆ  前身頃部
１１Ｒ  後身頃部
１１Ｔ  折り返し部
１２  セパレータ
１３Ｃ  センタートップシート
１３Ｓ  サイドトップシート
１４  第１吸収体
１４Ｔ  表面層
１４Ｂ  裏面層
１４Ｃ  吸収コア
１５  便分離シート
１５Ｅ  伸縮弾性ネット
１５Ｎ  不織布
１６  補助シート
１７  第２吸収体
１７Ｔ  表面層
１７Ｂ  裏面層
１７Ｃ  吸収コア
１８  ウエスト周り開口部
１９  ウエスト周り弾性部材
２０  脚周り開口部
２１  脚周り弾性部材
２２  開口部
２３  空隙
２４  ミシン目
２５  取り出し口
２６  紐
２７  開閉テープ
２８  接続用テープ
【図１】
0004055928.tif 000002
【図２】
0004055928.tif 000003
【図３】
0004055928.tif 000004
【図４】
0004055928.tif 000005
【図５】
0004055928.tif 000006
【図６】
0004055928.tif 000007
【図７】
0004055928.tif 000008
【図８】
0004055928.tif 000009
【図９】
0004055928.tif 000010
【図１０】
0004055928.tif 000011
【図１１】
0004055928.tif 000012